(57)【特許請求の範囲】
【請求項１】
カラー映像信号から被写体の中の所定物体の特定色を検出して特定色検出信号を出力する特定色検出手段と、上記カラー映像信号に基づいて輝度情報信号を生成する輝度情報生成手段と、前記物体の表示画面中の位置に応じて異なる特定色を生成するための色情報信号を生成する色情報生成手段と、上記特定色検出信号に応答して上記輝度情報信号又は色情報信号を選択的にカラー表示手段に供給する選択手段と、を備えたことを特徴とする映像信号処理装置。
【請求項２】
前記輝度情報生成手段が、前記輝度情報信号のブランキングレベルと色情報信号のブランキングレベルとを一致させるレベル調整回路を含むことを特徴とする請求項１に記載の映像信号処理装置。
【請求項３】
前記色情報生成手段は、表示画面の複数の領域に対応した領域情報を記憶しているメモリと、上記領域情報に応じて夫々の領域に対応した特定色生成用の色情報信号を出力するＲＧＢマトリクス回路と、を含むことを特徴とする請求項１又は２に記載の映像信号処理装置。
【請求項４】
前記特定色検出信号に応答して前記表示画面の各領域に対応した警告音を発生する手段を有することを特徴とする請求項１，２又は３に記載の映像信号処理装置。
【発明の詳細な説明】
【０００１】
【産業上の利用分野】
本発明は映像信号処理装置に係り、特に特定色の検出時にその特定色を有する物体のみを着色し、その他は白黒表示することを可能にした特定色表示モニタ機能を有する装置の改良に関する。
【０００２】
【従来の技術】
従来の原色ドライブ方式による一般的なＣＲＴモニタ装置を図１３に示す。同図において、１はバンドパスフィルタ（ＢＰＦ）、２はローパスフィルタ（ＬＰＦ）、３は同期分離回路、４はブランキングパルス生成回路（ＢＬＫ）、５は色信号処理回路、６はカラーブラウン管（ＣＲＴ）である。図２は図１３の入力端子ＩＮにＮＴＳＣカラーバー信号を入力したときの信号波形例を示す。この方式は入力映像信号から周波数帯域の違う搬送色信号Ｃと輝度信号２ｙを夫々ＢＰＦ１とＬＰＦ２で取り出す。更に入力映像信号を同期分離回路３に入力し、同期分離することにより同期信号３ｓを得る。同期分離回路３から出力される同期信号３ｓをブランキング生成回路４に入力し、ブランキングパルス４ｐを生成する。従って、色信号処理回路５では搬送色信号Ｃ、輝度信号２ｙ、ブランキングパルス４ｐの三つの信号のマトリクス演算によって、原色信号（Ｒ，Ｇ，Ｂ）５ｒ，５ｇ，５ｂに変換出力され、ＣＲＴ６のカソードを励振することにより所定の色の像を表示する。
【０００３】
【発明が解決しようとする課題】
しかしこのような従来の原色ドライブ方式のモニタではカラー信号が入力された場合に、ある特定色の物体のみを判別しやすく表示することはできなかったし、そのような手法をとることは考えられていなかった。
【０００４】
本発明の目的は表示画面中の注視したい物体のみをその位置に応じた特定色で表示することを可能にした映像信号処理装置を提供することである。
本発明の他の目的は上記映像信号処理装置において、特定色での物体表示と共に警告音も出力することを可能にすることにある。
【０００５】
【課題を解決するための手段】
上記目的を達成するため、本発明の映像信号処理装置は、カラー映像信号から被写体の中の所定物体の特定色を検出して特定色検出信号を出力する特定色検出手段と、上記カラー映像信号に基づいて輝度情報信号を生成する輝度情報生成手段と、前記物体の表示画面中の位置に応じて異なる特定色を生成するための色情報信号を生成する色情報生成手段と、上記特定色検出信号に応答して上記輝度情報信号又は色情報信号を選択的にカラー表示手段に供給する選択手段と、を備えたことを要旨とする。
【０００６】
【０００７】
【０００８】
【０００９】
本発明の装置において、前記輝度情報生成手段が、前記輝度情報信号のブランキングレベルと色情報信号のブランキングレベルとを一致させるレベル調整回路を含むようにしてもよい。
【００１０】
また本発明の装置において、前記色情報生成手段は、表示画面の複数の領域に対応した領域情報を記憶しているメモリと、上記領域情報に応じて夫々の領域に対応した特定色生成用の色情報信号を出力するＲＧＢマトリクス回路と、を含むようにしてもよい。
【００１１】
更に本発明の装置に対し、前記特定色検出信号に応答して前記表示画面の各領域に対応した警告音を発生する手段を付加してもよい。
【００１２】
【００１３】
【００１４】
【００１５】
【００１６】
【００１７】
【作用】
本発明の映像信号処理装置は、カラー映像信号から被写体の中の所定物体の特定色を検出し特定色検出信号を出力すると共に輝度情報信号及び上記物体の表示画面中の位置に応じて異なる特定色を生成するための色情報信号を生成する。カラー表示手段には、特定色検出信号に応答して輝度情報信号又は色情報信号が選択的に供給される。
【００１８】
この場合、輝度情報信号のブランキングレベルと色情報信号のブランキングレベルとを一致させるようにレベルを調整してもよい。また、色情報信号は、メモリに記憶されている表示画面中の複数の領域に対応した領域情報に応じて、夫々の領域に対応した特定色を生成する信号としてＲＧＢマトリクス回路により生成させてもよい。更に特定色検出信号に応答して表示画面の各領域に対応した警告音を発生させてもよい。
【００１９】
上述したように本発明の装置にあっては、前記色情報生成手段、更には前記ＲＧＢマトリクス回路を付加することにより、その動作は所定のように設定された各領域を、夫々彩度の高い色に強制的に置き換えて視認性をより向上させることができる。
【００２０】
【００２１】
【実施例】
以下図面に示す本発明の各実施例を説明する。
図１は本発明の基本となる映像信号処理装置の一例で、図１３と同一符号は同一又は類似の回路をあらわし、特に図１３と相違する点は、特定色抽出回路７、クランプ回路８、２入力ビデオスイッチ９〜１２、モノマルチ回路１３、音声発生回路１４、スピーカ１５を備えた構成にある。
【００２２】
図１の例において、色信号処理回路５からの原色信号（Ｒ，Ｇ，Ｂ）５ｒ，５ｇ，５ｂは２入力ビデオスイッチ１０〜１２のａ側及び特定色抽出回路７に加えられる。
特定色抽出回路７は上記原色信号及びＬＰＦ２から出力される輝度信号２ｙに基づいてカラー映像信号の被写体の中の所定物体の特定色を検出し特定色検出信号（特定色検出時のみＨレベルで、非検出時はＬレベル）が２入力ビデオスイッチ１０〜１２の切換え制御パルスとして与えられる。
２入力ビデオスイッチ１０〜１２のｂ側には輝度情報信号が加えられており、各スイッチは上記切換え制御パルスがＨレベルの時ａ側、Ｌレベルの時ｂ側に接続される。
【００２３】
従って２入力ビデオスイッチ１０〜１２は特定色検出信号に応答して輝度情報信号又は原色信号５ｒ，５ｇ，５ｂをカラーブラウン管６に供給するが、各原色信号の合成波形は特定色のレベルに相当する色情報信号となっているので、結局ＣＲＴ６の表示画面において被写体の所定物体のみが特定色、他は白黒に表示される。
【００２４】
なお、２入力ビデオスイッチ１０〜１２の入力端子ａには原色信号（Ｒ，Ｇ，Ｂ）５ｒ，５ｇ，５ｂ、入力端子ｂ側には輝度信号２ｙを加えるが、ブランキング部分の波形が夫々異なる（図２参照）ので入力する信号の条件を揃えるのが好適である。２入力条件を揃える理由はスイッチの切換えによってレベル変動が生じ、輝度ムラや画像歪を起こすからである。このレベル変動を改善するための回路がクランプ回路８及び２入力ビデオスイッチ９であり、輝度信号２ｙを原色信号（Ｒ，Ｇ，Ｂ）５ｒ，５ｇ，５ｂのような同期波形及びＤＣ分（フロントポーチ：Ｖｂ，同期信号の最低レベル：Ｖａ）にするために行うものである。
【００２５】
まず、フロントポーチをＶｂにするためにクランプ回路８を用いる。クランプする際の一例として輝度信号２ｙのシンクチップを同期信号３ｓによってＶｂ−０．３Ｖでクランプする方法があげられる。これは、シンクチップとフロントポーチの電圧レベル差（フロントポーチがシンクチップより０．３Ｖ電圧レベルが高い）を利用したものである。
【００２６】
次に、クランプされた輝度信号２ｙのブランキング部を一定の電圧Ｖｂにする処理を行う。この信号処理では２入力ビデオスイッチ９を用い、入力端子ａ側にはクランプされた輝度信号２ｙ、入力端子ｂ側にはＤＣ電圧Ｖｂを接続する。スイッチ９の切換え制御パルスにはブランキングパルス４ｐを用いる。ブランキングパルス４ｐのＨレベル区間は輝度信号２ｙ、Ｌレベル区間では、ＤＣ電圧Ｖａが選択され輝度情報信号９ｙのような信号波形を得る。
【００２７】
以上のようにして２入力ビデオスイッチ１０，１１，１２の２入力条件を揃えた後、各スイッチ１０，１１，１２の入力端子ａ側には原色信号（Ｒ，Ｇ，Ｂ）５ｒ，５ｇ，５ｂ、入力端子ｂには輝度情報信号９ｙを接続する。従って、２入力ビデオスイッチ１０，１１，１２から出力される信号は、特定色検出区間Ｈのみ色信号、区間外Ｌで輝度情報信号が選択され、合成信号１０ｒ，１１ｇ，１２ｂが出力される。そして、夫々ＣＲＴ６のカソードに入力される。よって、ＣＲＴ６の画面上では被写体のうち所定物体検出された特定色のみが着色された画像が表示される。
【００２８】
また、１３，１４は特定色検出時、音声を発生させるためのモノマルチ及び音声発生回路であり、特定色抽出回路７により出力される特定色検出信号７ｘを用いて警告音の発生を行う。特定色検出信号７ｘをモノマルチ１３で時間伸長した後、音声発生回路１４に入力する。音声発生回路１４は、例えばモノマルチ１３の出力がＨレベルの時に音声信号を出力するような回路を用いる。音声発生回路１４が出力する音声信号をスピーカ１５に接続すると、警告音を発生するようになる。
【００２９】
特定色を黄色にした時の信号波形例を図３に示す。例えば図１の入力信号としてＮＴＳＣカラーバー信号を用いる。特定色を黄色にした時の特定色検出信号は波形７ｘのようになり、２入力ビデオスイッチ１０，１１，１２の出力合成波形は波形１０ｒ，１１ｇ，１２ｂのようになる。この合成波形例は夫々原色信号（Ｒ，Ｇ，Ｂ）５ｒ，５ｇ，５ｂの黄色レベルに相当する色情報レベル、そしてそれ以外は、輝度情報信号９ｙの輝度情報レベルでそのまま出力されたものとなっている。すなわち、黄色の部分では黄色が着色され、またその他の部分では白黒表示となる。
【００３０】
図４は本発明の基本となる他の例として特定色表示、カラー表示、白黒表示計三つを選択可能とする方式の主要部の構成を示す。モニタの表示切換えは３入力手動切換えスイッチ１８を用いる。この３入力手動切換えスイッチ１８の入力端子には、ａ：特定色検出信号、ｂ：電源（Ｈ）、ｃ：グランド（Ｌ）を接続する。３入力手動切換えスイッチ１８がａの時は特定色表示、ｂの時はスイッチ１０，１１，１２がａ側に接続されるのでカラー表示、ｃの時は逆にスイッチ１０，１１，１２がｂ側に接続されるので白黒表示となる。  また、本方式は原色ドライブ方式のモニタでの動作説明を行ったが、色差ドライブ方式のモニタでも同様の効果が得られる。
【００３１】
上述した例の装置によれば、注視（検出）したいある画像の色のみをわかり易く表示し、更には警告音を発することで特定の色のついた被写体の認識が容易になる。
例えば、建設機械の安全対策装置として、クレーン車周辺の作業者の安全対策を図るためのモニタ等があげられる。この安全対策装置を用いれば、例えば図６に示すように作業者Ｍに特定色（黄色）のヘルメットＨを着用させ、カラーカメラの出力の映像信号から黄色を検出し、モニタ表示又は音声で警告するなど作業者に伝えることができる。
【００３２】次に、例えば、建設機械（クレーン）の先端に設けたカラーテレビカメラの出力から作業員の着衣の特定色（黄色）の部分を検出する場合を例として特定色抽出回路７の構成例について述べる。
【００３３】
図６は建設機械（クレーン）の先端に設けたカラーテレビカメラの出力を示し、部分図６Ａはカラーテレビが捉えた危険区域内の作業員の映像であり、図６Ｂは図６Ａのｘ−ｘ'線上の輝度信号Ｅｙの分布図であり、図７はＮＴＳＣ信号方式の信号の基本となるカラーバー信号を示し、部分図７Ａはカラーバー信号の波形を示し、部分図７Ｂはカラーバー信号の副搬送波のベクトル図である。なお、図６Ｂは副搬送波の位相と振幅が表示され、夫々の括弧内の値は位相を、括弧の下の値は振幅を示している。
【００３４】
ＮＴＳＣ信号の複合信号ＥＭは下記数式（１）で表わされる。なお、ここで、ＥＹは輝度信号、ＥＣは搬送色信号、ωｓｃは副搬送波周波数（ｆｓｃ＝３．５８ＭHz）、φは位相である。
【数１】
ＥＭ＝ＥＹ＋ＥＣｃｏｓ（ωｓｃｔ＋φ）    （１）
【００３５】
カラーバーは白と三原色及びその補色からなるが、図７Ａに示す波形からも明らかなように黄色信号の輝度値は白を１．０とすると０．８９と高い。また、図７Ｂのベクトル図から位相１６７°、振幅０．４４であることがわかる。
【００３６】
上記カラーバー信号及びベクトルの特徴をカラーテレビカメラ出力、例えば、図６のカラーテレビカメラの出力信号に適用して黄色の部分（図６Ａではヘルメット３２と作業衣３３の部分）を取り出すために以下の処理を行う。なお、図６Ａで３１は白（旗のポール部分）を、３４はオレンジ色の部分を示し、図６Ｂの輝度信号の分布図は図６Ａの色の分布に対応して黄色の部分３２'と白の部分３１'がｘ−ｘ'線でＥ１以上の値を示している。
【００３７】
（１）輝度信号ＥＹ≧Ｅ１（例えば、白のピーク値を０．１とするとき、Ｅ１≒０．６）
（２）図７Ｂの副搬送波φｙｅｌｌｏｗ＝１６７°の振幅Ｅｃｙｅｌｌｏｗ≧Ｅ２
（３）副搬送波Φｙｅｌｌｏｗ＝７７°の振幅｜Ёｙｅｌｌｏｗ｜≧Ｅ３とする。ここで、（１）は図６Ａのｘ−ｘ'線のＥＹの分布を示す図６Ｂにおいて振幅Ｅ１以上の輝度信号を取り出す。図６の例のＥ１以上の値である白と黄色の映像信号を画像表示すると図９Ａに示す像となる。また、（２）は図８に示す副搬送波ＭＡＰでＥ２以上の範囲、（３）は図８に示す副搬送波ＭＡＰで絶対値がＥ３以下の範囲、であり、（２）と（３）で図８の副搬送波ＭＡＰにおいて斜線でハッチングした範囲となる。そして、（１），（２）及び（３）を合わせて黄色を判定する。
【００３８】
図５は特定色抽出回路７として利用可能な色成分抽出回路の構成例を示すブロック図であり、図９は図５の本映像信号の色成分抽出回路の出力信号の説明図（画像表示の例）である。図５において、１０１はカラー映像信号（ＮＴＳＣ信号）、１０２は同期分離回路、１０３はゲイト信号発生器、１０４はゲイト回路、１０５はＡＧＣ（自動利得制御回路）、１０６は輝度成分抽出手段としてのＬＰＦ（ローパスフィルタ）、１０７は色変調信号抽出手段としてのＢＰＦ（バンドパスフィルタ）、１０８はバーストゲイトパルス発生回路、１０９はゲイト回路、１１０はｆｓｃ＝３．５８ＭHzの副搬送波発振器、１１１は黄色信号位相シフト回路、１１２は９０°移相器、１１３，１１４は同期検波回路、１１５，１１６は０．５ＭHzのＬＰＦ（ローパスフィルタ）、１１７〜１１９は振幅比較回路、１２０〜１２２は基準電圧Ｅ１〜Ｅ３、１２３は演算手段としてのＡＮＤ回路、１２４は出力信号、１２５は整流回路である。
【００３９】
図５で映像信号１０１から同期分離回路１０２で同期信号を分離し、ゲイト信号発生器１０３で図７Ａに示すカラーバーストを除く部分Ｔの範囲の映像信号を取り出してゲイト回路１０４を経てＡＧＣ１０５でピークの信号値を一定にする。次に、ＬＰＦ１０６（３ＭHz以上）で３ＭHz以下でＥＹのみを取り出すと図６Ｂに示す分布の輝度信号となる。ＬＰＦ１０６の出力は振幅比較回路１１７で基準電圧１２１のＥ１と比較してＥＹ≧Ｅ１を取り出してＡＮＤ回路１２３に供給する。図９Ａは振幅比較回路１１７の出力信号を画像表示した例である。
【００４０】
また、同期分離回路１０２で分離された同期信号をバーストゲイトパルス発生回路１０８で遅延させて図７Ａに示す映像信号部分Ｔをゲイトするパルスを生成し、ゲイト回路１０９で映像信号からカラーバーストを抽出し該カラーバーストが副搬送波発振器１１０の副搬送波（ｆｓｃ＝３．５８ＭHz）と位相結合する。そして、黄色信号位相シフト回路１１１で黄色信号位相φｙｅｌｌｏｗ＝１６７°の位相シフトを行い同期検波回路１１３および９０°移相器１１２に位相シフトしたφｙｅｌｌｏｗを供給する。９０°移相器１１２ではΦｙｅｌｌｏｗ＝７７°を作り、それを同期検波回路１１４に供給する。一方、ＡＧＣ１０５の出力からＢＰＦ１０７で色副搬送波成分を抽出し同期検波回路１１３，１１４に夫々加える。なお、色副搬送波成分は図７Ｂにカラーバーとして示してある。同期検波回路１１３ではＢＰＦ１０７からの色副搬送波成分を黄色信号位相シフト回路１１１からのφｙｅｌｌｏｗで同期検波しその出力を０．５ＭHzカットオフ周波数のＬＰＦ１１５に加える。そして、ＬＰＦ１１５の出力を振幅比較回路１１８で基準電圧１２１のＥ２と比較してＥｃｙｅｌｌｏｗ≧Ｅ２を取り出し、ＡＮＤ回路１２３に供給する。図９Ｂは振幅比較回路１１８の出力信号を画像表示した例である。また、同期検波回路１１４ではＢＰＦ１０７からの色副搬送波成分を９０°移相器１１２からのΦｙｅｌｌｏｗ信号で同期検波しその出力を０．５ＭHzカットオフ周波数のＬＰＦ１１６に加える。ＬＰＦ１１６の出力を整流回路１２５に加え極性を正のみの信号とし、振幅比較回路１１９で基準電圧１２２のＥ３と比較して｜Ёｃyellow｜Ｅ３を取り出してＡＮＤ回路１２３に供給する。図９Ｃは振幅比較回路１１９の出力信号を画像表示した例である。
【００４１】
ＡＮＤ回路１２３は振幅比較回路１１７〜１１９の出力信号のＡＮＤ演算を行いその出力信号を画像表示すると図９Ａ〜図９Ｃの和である図９Ｄとなり、図６Ａの映像信号（映像信号１０１）のうち黄色のヘルメット３２と作業衣３３の部分のみが出力されることとなる。
【００４２】
なお、図５の回路の入力信号としての映像信号は図１における原色信号及び輝度信号から得るようにしてもよいが、図１の入力映像信号を直接入力させてもよい。あるいはＬＰＦ２の出力である輝度信号を、ＬＰＦ１０６の出力に代えて比較回路１１７に与え、原色信号と輝度信号とを演算することにより得られる色差信号をＬＰＦ１１５，１１６の出力に代えて比較回路１１８，１１９に与えるようにしてもよい。
【００４３】
図１０は上述した装置を基本とする本発明の一実施例で、図１及び図１３と同一符号は同一又は類似の回路をあらわすが、この実施例では、図１の実施例に対し、更にＲＧＢマトリクス回路１６及びＲＯＭ１７を付加している。
ＲＯＭ１７はＣＲＴ６の画面を所定数の領域に分割するためのデータを出力する。例えば図１１のように画面を３つの領域に分割する時、ＲＯＭ出力はＷ１，Ｗ２の２系統で領域＃１〜＃３を表すことができる。例えば『Ｗ１＝Ｗ２＝「Ｌ」レベルのときは領域＃１、Ｗ１＝「Ｈ」レベルかつＷ２＝「Ｌ」レベルのときは領域＃２、Ｗ１＝Ｗ２＝「Ｈ」レベルのときは領域＃３』になるように設定する。
ＲＯＭ１７の出力の一方はＲＧＢマトリクス回路１６と接続する。ＲＧＢマトリクス回路１６ではＲＯＭ１３の出力Ｗ１、Ｗ２、及びブランキング信号４ｐの３系統の信号が入力され、ＲＧＢ３系統の信号を出力する。
【００４４】
図１２は画面周辺を緑、中心を赤、その他を黄色にする場合のＲＧＢマトリクス回路１６の動作例である。例えば「赤」を表示する場合、Ｒ：Ｇ：Ｂ＝１：０：０にすればよく、「黄色」を表示する場合、Ｒ：Ｇ：Ｂ＝１：１：０にすればよい。
このときＲＧＢマトリクス回路１６から出力されるＲＧＢ信号はモニタのＮラインでは図１１のような波形となる。Ｎ'ラインでは、Ｗ１，Ｗ２ともに「Ｈ」レベル区間の短い波形となる。
ＲＧＢマトリクス回路１６のＲ出力はスイッチ１０、Ｇ出力はスイッチ１１、Ｂ出力はスイッチ１２のいずれもａ側と接続する。スイッチ１０〜１２のｂ側はスイッチ９の出力と接続されており、特定色抽出回路７の出力信号７Ｘが「Ｌ」レベルの時ｂ側、「Ｈ」レベルの時ａ側と接続されるとすると、スイッチ１０〜１２の出力信号は７Ｘが「Ｌ」レベルの時、輝度信号、「Ｈ」レベルの時、ＲＧＢ信号が選択される。
スイッチ１０〜１２の出力は夫々ＣＲＴ６に加える。
【００４５】
ＲＯＭ１７の出力のもう一方は音声発生回路１４と接続する。音声発生回路１４は７Ｘが入力されたときに音声信号を出力するＲＯＭ回路で、数種類の音声データを有しているものとする。ＲＯＭ１７の出力データにより、例えば領域＃１の時は無音、領域＃２のときは音楽Ａ、領域＃３のときは音楽Ｂを選択することができれば、各領域に対応する警告音を変えることができる。
なお、図１０の実施例は原色ドライブ方式について述べているが、色差ドライブ方式のモニタについても同様の動作を実現できる。
【００４６】
図１０の装置は、例えば建設機械作業現場におけるクレーン車を操作している人の死角補助システムに利用可能である。この装置によりクレーン車周辺の作業者が危険地帯に近づくことをクレーン車を操作している人に告知することで、事故防止と、作業を円滑に行うことができる。
例えば「ヘルメットの黄色」を検出し、画面周辺を緑、中心を赤、その他を黄色にすげ替えるとすると、黄色いヘルメットをかぶった人が画面外から中心の危険地帯に近づく時、モニタではヘルメットのみが緑→黄色→赤の順に変化させ得る。
この場合例えば画面中心程、告知音を大きくすることで効果的に警告を与えることである。
【００４７】
上述したように図１０の実施例によると、図１１及び図１２に示すように領域を設定した場合、特定色抽出回路７で設定及び検出された色がいかなる色であっても、その色が領域＃１にある時は緑、領域＃２にある時は黄色、領域＃３にある時は赤というように、夫々彩度の高い色に強制的に置き換えることができる。
【００４８】
図１の例の場合は検出された色そのものが表示されるため、その検出色が薄い色であると周囲の白黒との区別がつきにくいことがあるが、図１０の実施例ではこの点が更に改良される。
即ち、図１０の実施例によれば、色の薄い物体であっても、特定色抽出回路７で検出された物体は全て彩度の高い色に置き換えることが可能で、領域によって色分けしているので、視認性が向上する。また、音声発生回路１４では各領域に対応して異なる音声を出力するため画面上の色と警報音との効果的なマッチングをとることができる。また図１の実施例では、表示装置への出力信号の切換スイッチを３個必要としたが、図１０の実施例によると１個にすることができ、更に既存の表示装置（原色ドライブ、色差ドライブの方式に関わらず）の内部に手を加えることなく適用可能である。
【００４９】
【００５０】
【００５１】
【００５２】
【００５３】
【発明の効果】
以上説明したように本発明によれば、検出された色に関係なく、所定の領域を彩度の高い色で表示できるので視認性が一段と向上するばかりでなく、各領域に対応して異なる音声を出力させることにより、画面上の色と警報音との効果的なマッチングをとることができる。
【図面の簡単な説明】
【図１】本発明の基本となる映像信号処理装置の一例を示すブロック図である。
【図２】図１３の入力端子にＮＴＳＣカラーバー信号を入力した時の信号波形例を示す図である。
【図３】図１の例で、特定色を黄色にした時の信号波形例を示す図である。
【図４】図１の例の変形例の主要部を示すブロック図である。
【図５】図１の例によるモニタ動作例の説明図である。
【図６】カラーテレビカメラの出力例を示し、部分図６Ａはカラーテレビが捉えた危険区域内の作業員の映像であり、部分図６Ｂは輝度信号Ｅｙの分布図である。
【図７】ＮＴＳＣ信号方式の信号のカラーバー信号を示し、部分図７Ａはカラーバー信号の波形図、部分図７Ｂはカラーバー信号の副搬送波のベクトル図である。
【図８】副搬送波ＭＡＰと黄色信号の範囲を示す説明図である。
【図９】図６の本映像信号の色成分抽出回路の出力信号の説明図である。
【図１０】本発明の一実施例を示すブロック図である。
【図１１】図１０の実施例の動作波形例を示す図である。
【図１２】ＲＧＢマトリクス回路の動作例の説明図である。
【図１３】従来の原色ドライブ方式モニタのブロック図である。
【符号の説明】
１  ＢＰＦ
２  ＬＰＦ
３  同期分離回路
４  ブランキングパルス生成回路
５  色信号処理回路
６  ＣＲＴ
７  特定色抽出回路
８  クランプ回路
９，１０，１１，１２  ２入力ビデオスイッチ
１３  モノマルチ回路
１４  音声発生回路
１５  スピーカ
１６  ＲＧＢマトリクス回路
１７  ＲＯＭ
【図１】
0003563461.tif 000002
【図２】
0003563461.tif 000003
【図３】
0003563461.tif 000004
【図４】
0003563461.tif 000005
【図５】
0003563461.tif 000006
【図６】
0003563461.tif 000007
【図７】
0003563461.tif 000008
【図８】
0003563461.tif 000009
【図９】
0003563461.tif 000010
【図１０】
0003563461.tif 000011
【図１１】
0003563461.tif 000012
【図１２】
0003563461.tif 000013
【図１３】
0003563461.tif 000014